(57)【要約】【課題】  録画予約時刻前に、ユーザの意向を考慮しつつも、自動的に可変指向性アンテナの指向性を適正化できる放送受信装置を提供する。【解決手段】  録画予約時刻の所定時間前（Ｓ１）に、自動設定がＯＮに設定されていると判断したときには、自動設定処理を実行して（Ｓ５）、予約チャンネルの受信に適するアンテナの受信方向候補を装置側で自動的に特定し、その特定した受信方向候補に対するユーザの承諾信号が入力されたときに、アンテナの受信方向をその特定した受信方向に決定し、可変指向性アンテナに対して受信方向切換信号を出力する（Ｓ６）。【選択図】        図２
2006129027.tif 000002
【特許請求の範囲】
【請求項１】
指向性を可変可能な可変指向性アンテナと接続される放送受信装置であって、
前記可変指向性アンテナに対して、指向性の切換えを指令する指向性切換信号を出力する切換信号出力部と、
放送チャンネルと当該放送チャンネルの放送を受信するときの前記可変指向性アンテナの指向性との対応関係を記憶する対応関係記憶手段と、
放送チャンネルのうちの録画が予約されている予約チャンネルに対応する録画開始時刻の所定時間前であるか否かを判別する所定時間判別手段と、
該所定時間判別手段が前記所定時間前であると判別したときに、前記切換信号出力部から前記指向性切換信号を出力することによって前記可変指向性アンテナの指向性を順次変化させて前記予約チャンネルによる放送の受信に最適な指向性を特定するとともに該最適な指向性とは別に前記予約チャンネルの放送の受信に適する指向性をさらに選別する指向性特定手段と、
該指向性特定手段が前記指向性の特定および選別を開始するときに所定のメッセージを前記画面に表示するためのメッセージ表示信号を出力するメッセージ表示信号出力手段と、
前記指向性特定手段の特定結果を画面に表示するための表示信号および前記指向性特定手段の選別結果を画面に表示するための表示信号を出力する結果表示信号出力手段と、
前記予約チャンネルに対応する前記可変指向性アンテナの指向性を決定する指向性決定手段と、
前記予約チャネルによる録画開始時刻前に、前記可変指向性アンテナの指向性を前記指向性決定手段の決定に従う指向性に切換えるための指向性切換信号を前記切換信号出力部から出力させる指向性切換手段とを備え、
前記指向性決定手段は、
前記指向性特定手段が特定した前記最適な指向性によって前記予約チャンネルの放送を受信することにユーザが承諾したことを示す承諾信号が入力されたときに、前記予約チャンネルに対応する前記可変指向性アンテナの指向性を前記指向性特定手段が特定した指向性にすることを決定し、
前記予約チャンネルの放送の受信に最適な指向性とは別に前記指向性特定手段が選別した指向性によって前記予約チャンネルの放送を受信することにユーザが承諾したことを示す承諾信号が入力されたときに、前記予約チャンネルに対応する前記可変指向性アンテナの指向性を前記指向性特定手段が選別した指向性にすることを決定し、
前記予約チャンネルの放送の受信に最適な指向性とは別に前記指向性特定手段が選別した指向性によって前記予約チャンネルの放送を受信することをユーザが拒否したことを示す拒否信号が入力されたときに、前記予約チャンネルに対応する前記可変指向性アンテナの指向性を、前記対応関係記憶手段が記憶している前記予約チャンネルに対応する指向性にすることを決定する第１指向性決定手段と、
前記指向性特定手段が特定した前記最適な指向性と、前記対応関係記憶手段に記憶されている前記予約チャンネルに対応する指向性とのうち、後者の方が前記予約チャンネルによる放送をより良好に受信できるときに前記予約チャンネルに対応する前記可変指向性アンテナの指向性を、前記対応関係記憶手段が記憶している前記予約チャンネルに対応する指向性にすることを決定し、
前記指向性特定手段が特定した前記最適な指向性と、前記対応関係記憶手段に記憶されている前記予約チャンネルに対応する指向性とのうち、前者の方が前記予約チャンネルによる放送をより良好に受信できかつ前者によって前記予約チャンネルの放送を受信することにユーザが承諾したことを示す承諾信号が入力されたときに前記予約チャンネルに対応する前記可変指向性アンテナの指向性を、前記指向性特定手段が特定した前記最適な指向性にすることを決定し、
前記指向性特定手段が特定した前記最適な指向性と、前記対応関係記憶手段に記憶されている前記予約チャンネルに対応する指向性とのうち、前者の方が前記予約チャンネルによる放送をより良好に受信できかつ前者によって前記予約チャンネルの放送を受信することをユーザが拒否したことを示す拒否信号が入力されたときに前記予約チャンネルに対応する前記可変指向性アンテナの指向性を、前記対応関係記憶手段が記憶している前記予約チャンネルに対応する指向性にすることを決定する第２指向性決定手段とを含み、
さらに、前記放送受信装置は、
前記第１指向性決定手段により前記予約チャンネルに対応する前記可変指向性アンテナの指向性を決定する第１モードと、前記第２指向性決定手段により前記予約チャンネルに対応する前記可変指向性アンテナの指向性を決定する第２モードとに前記放送受信装置の動作モードを切換える動作モード切換手段を備え、
該動作モード切換手段は、
前記第１モードにおいて、前記第１指向性決定手段が前記拒否信号の入力を受けて前記可変指向性アンテナの指向性を前記対応関係記憶手段が記憶している前記予約チャンネルに対応する指向性にすることを決定したときに、前記第１モードから前記第２モードに切換え、
前記第２モードにおいて、前記第２指向性決定手段が前記予約チャンネルに対応する前記可変指向性アンテナの指向性を前記指向性特定手段が特定した前記最適な指向性にすることを決定したときに前記第２モードから前記第１モードに切換え、
前記指向性切換手段は、前記第１モードにおいては前記第１指向性決定手段の決定に従う指向性に切換えるための指向性切換信号を前記切換信号出力部から出力させ、前記第２モードにおいては前記第２指向性決定手段の決定に従う指向性に切換えるための指向性切換信号を前記切換信号出力部から出力させることを特徴とする、放送受信装置。
【請求項２】
指向性を可変可能な可変指向性アンテナと接続される放送受信装置であって、
前記可変指向性アンテナに対して、指向性の切換えを指令する指向性切換信号を出力する切換信号出力部と、
該切換信号出力部から前記指向性切換信号を出力することによって前記可変指向性アンテナの指向性を順次変化させて、放送チャンネルのうちの録画が予約されている予約チャンネルによる放送の受信に最適な指向性を特定する指向性特定手段と、
該指向性特定手段の特定結果を画面に表示するための特定結果表示信号を出力する特定結果表示信号出力手段と、
前記指向性特定手段が特定した前記最適な指向性によって前記予約チャンネルの放送を受信することにユーザが承諾したことを示す承諾信号が入力されたときに、前記予約チャンネルに対応する前記可変指向性アンテナの指向性を前記指向性特定手段が特定した前記最適な指向性にすることを決定する第１指向性決定手段と、
前記予約チャネルによる録画開始時刻前に、前記可変指向性アンテナの指向性を前記第１指向性決定手段の決定に従う指向性に切換えるための指向性切換信号を前記切換信号出力部から出力させる指向性切換手段とを備えることを特徴とする、放送受信装置。
【請求項３】
前記予約チャンネルの放送を録画する録画装置を接続する録画装置接続部をさらに備え、
前記予約チャネルおよび録画開始時刻の情報を前記録画装置接続部を介して前記録画装置から入力することを特徴とする、請求項２に記載の放送受信装置。
【請求項４】
前記画面を備える表示装置を接続する表示装置接続部をさらに備え、
前記特定結果表示信号出力手段は、前記表示装置接続部を介して前記特定結果表示信号を前記表示装置へ出力することを特徴とする、請求項２または請求項３に記載の放送受信装置。
【請求項５】
前記予約チャンネルに対応する録画開始時刻の所定時間前であるか否かを判別する所定時間判別手段をさらに備え、
前記指向性特定手段は、前記所定時間判別手段が前記所定時間前であると判別したときに、前記予約チャンネルに対応する放送の受信に最適な指向性を特定する特定動作を開始し、
前記指向性特定手段が前記特定動作を開始するときに所定のメッセージを前記画面に表示するためのメッセージ表示信号を出力するメッセージ表示信号出力手段をさらに備えることを特徴とする、請求項２〜請求項４のいずれかに記載の放送受信装置。
【請求項６】
放送チャンネルと当該放送チャンネルの放送を受信するときの前記可変指向性アンテナの指向性との対応関係を記憶する対応関係記憶手段をさらに備え、
前記第１指向性決定手段は、前記指向性特定手段が特定した前記最適な指向性によって前記予約チャンネルの放送を受信することをユーザが拒否したことを示す拒否信号が入力されたときに、前記対応関係記憶手段の記憶に従い、前記予約チャンネルに対応する前記可変指向性アンテナの指向性を決定することを特徴とする、請求項２〜請求項５のいずれかに記載の放送受信装置。
【請求項７】
放送チャンネルと前記可変指向性アンテナの指向性との対応関係を記憶する対応関係記憶手段をさらに備え、
前記指向性特定手段は、前記予約チャンネルの放送の受信に最適な指向性とは別に、前記予約チャンネルの放送の受信に適する指向性をさらに選別し、
前記特定結果表示信号出力手段は、前記指向性特定手段により特定された前記最適な指向性によって前記予約チャンネルの放送を受信することをユーザが拒否したことを示す拒否信号が入力されたときに、前記指向性特定手段が前記予約チャンネルの放送の受信に最適な指向性とは別に選別した指向性を示す選別結果を前記画面に表示するための選別結果表示信号を出力し、
前記第１指向性決定手段は、前記最適な指向性とは別に前記指向性特定手段が選別した指向性によって前記予約チャンネルの放送を受信することにユーザが承諾したことを示す承諾信号が入力されたときに、前記予約チャンネルに対応する前記可変指向性アンテナの指向性を前記指向性特定手段が選別した指向性にすることを決定する一方、
前記最適な指向性とは別に前記指向性特定手段が選別した指向性によって前記予約チャンネルの放送を受信することをユーザが拒否したことを示す拒否信号が入力されたときに、前記予約チャンネルに対応する前記可変指向性アンテナの指向性を、前記対応関係記憶手段が記憶している前記予約チャンネルに対応する指向性にすることを決定することを特徴とする、請求項２〜請求項６のいずれかに記載の放送受信装置。
【請求項８】
前記指向性特定手段が特定した前記最適な指向性と、前記対応関係記憶手段に記憶されている前記予約チャンネルに対応する指向性とのうち、いずれが前記予約チャンネルによる放送をより良好に受信できるかを判別する受信状態判別手段と、
該受信状態判別手段により前記対応関係記憶手段に記憶されている前記予約チャネルに対応する指向性の方が前記予約チャンネルによる放送をより良好に受信できると判別されたときに前記予約チャンネルに対応する前記可変指向性アンテナの指向性を、前記対応関係記憶手段が記憶している前記予約チャンネルに対応する指向性にすることを決定し、
前記受信状態判別手段により前記指向性特定手段が特定した前記最適な指向性の方が前記予約チャンネルによる放送をより良好に受信できると判別されかつ当該指向性によって前記予約チャンネルの放送を受信することにユーザが承諾したことを示す承諾信号が入力されたときに前記予約チャンネルに対応する前記可変指向性アンテナの指向性を、前記指向性特定手段が特定した前記最適な指向性にすることを決定し、
前記受信状態判別手段により前記指向性特定手段が特定した前記最適な指向性の方が前記予約チャンネルによる放送をより良好に受信できると判別されかつ当該指向性によって前記予約チャンネルの放送を受信することをユーザが拒否したことを示す拒否信号が入力されたときに前記予約チャンネルに対応する前記可変指向性アンテナの指向性を、前記対応関係記憶手段が記憶している前記予約チャンネルに対応する指向性にすることを決定する第２指向性決定手段と、
前記第１指向性決定手段により前記予約チャンネルに対応する前記可変指向性アンテナの指向性を決定する第１モードと、前記第２指向性決定手段により前記予約チャンネルに対応する前記可変指向性アンテナの指向性を決定する第２モードとに前記放送受信装置の動作モードを切換える動作モード切換手段とを備え、
該動作モード切換手段は、
前記第１モードにおいて、前記第１指向性決定手段が前記拒否信号の入力を受けて前記可変指向性アンテナの指向性を前記対応関係記憶手段が記憶している前記予約チャンネルに対応する指向性にすることを決定したときに、前記第１モードから前記第２モードに切換え、
前記第２モードにおいて、前記第２指向性決定手段が前記予約チャンネルに対応する前記可変指向性アンテナの指向性を前記指向性特定手段が特定した前記最適な指向性にすることを決定したときに前記第２モードから前記第１モードに切換え、
前記指向性切換手段は、前記第１モードにおいては前記第１指向性決定手段の決定に従う指向性に切換えるための指向性切換信号を前記切換信号出力部から出力させ、前記第２モードにおいては前記第２指向性決定手段の決定に従う指向性に切換えるための指向性切換信号を前記切換信号出力部から出力させることを特徴とする、請求項６または請求項７に記載の放送受信装置。
【発明の詳細な説明】
【技術分野】
【０００１】
この発明は、放送受信装置に関し、特に、可変指向性アンテナと接続されるセットトップボックス（単体で録画機能を備えない）やチューナ内蔵型の録画機、あるいはテレビ（録画機内蔵タイプ、または録画機能を備えないタイプ）などの放送受信装置に関する。
【背景技術】
【０００２】
予め定めた放送チャンネルによる放送を予め定めた予約時刻に録画するための機能を備えた放送受信装置のニーズがこれまでにも増して高まっている。しかしながら、この種の従来の放送受信装置では、複数の放送局が分散して所在するような場合、アンテナの指向性を自在に変更することができない限り、予約した放送チャンネルの放送をうまく受信することができない。
【０００３】
そのため、分散して存在している複数の放送局の各々の電波を、指向性を切換えることによって受信可能なスマートアンテナ等の可変指向性アンテナが注目を集めている。この種の可変指向性アンテナは、たとえば、複数のアンテナ素子で構成され、各アンテナ素子を適当な振幅および位相により励振することで指向性を切換え可能にされている。
【０００４】
特許文献１には、衛星放送受信用のアンテナ駆動装置に関し、放送の録画予約時刻前に、予約チャンネルに対応する衛星の位置データを読出してアンテナポジションを最適位置に変更することが記載されている。
【０００５】
また、特許文献２には、視聴者の要求に応じてアンテナの方向を自動調整することが記載されている。
【特許文献１】特開平０６−２７６０１１号
【特許文献２】特開２００１−８６０１９号
【発明の開示】
【発明が解決しようとする課題】
【０００６】
しかしながら、この種の放送受信装置において、録画予約時刻になる前に、自動的に可変指向性アンテナの指向性を調整したときには、必ずしもその調整がユーザの意向に沿わない場合があり、このような場合にはユーザの意向と異なる指向性で予約チャンネルによる放送が録画されてしまう。
【０００７】
この発明は、係る実情に鑑みて考え出されたものであり、その目的は、録画予約時刻になる前に、ユーザの意向を考慮しつつも、自動的に可変指向性アンテナの指向性を適正化できる放送受信装置を提供することである。
【課題を解決するための手段】
【０００８】
本発明は、指向性を可変可能な可変指向性アンテナ（３０）と接続される放送受信装置（１）であって、
前記可変指向性アンテナに対して、指向性の切換えを指令する指向性切換信号を出力する切換信号出力部（受信方向切換部２４）と、
放送チャンネルと当該放送チャンネルの放送を受信するときの前記可変指向性アンテナの指向性との対応関係を記憶する対応関係記憶手段（メモリ１０ｂに構成されるオートスキャン記憶領域）と、
放送チャンネルのうちの録画が予約されている予約チャンネルに対応する録画開始時刻の所定時間前であるか否かを判別する所定時間判別手段（Ｓ１）と、
該所定時間判別手段が前記所定時間前であると判別したときに、前記切換信号出力部から前記指向性切換信号を出力することによって前記可変指向性アンテナの指向性を順次変化させて前記予約チャンネルによる放送の受信に最適な指向性を特定する（Ｓ４０１、Ｓ５０１）とともに該最適な指向性とは別に前記予約チャンネルの放送の受信に適する指向性をさらに選別する（Ｓ２０６）指向性特定手段（Ｓ８）と、
該指向性特定手段が前記指向性の特定および選別を開始するときに所定のメッセージを前記画面に表示するためのメッセージ表示信号を出力するメッセージ表示信号出力手段（Ｓ４）と、
前記指向性特定手段の特定結果を画面に表示するための表示信号および前記指向性特定手段の選別結果を画面に表示するための表示信号を出力する結果表示信号出力手段（Ｓ４０２、Ｓ４０９、Ｓ５０７）と、
前記予約チャンネルに対応する前記可変指向性アンテナの指向性を決定する指向性決定手段（第１モード処理のＳ４０４とＳ４０７、第２モード処理のＳ５０９とＳ５１２）と、
前記予約チャネルによる録画開始時刻前に、前記可変指向性アンテナの指向性を前記指向性決定手段の決定に従う指向性に切換えるための指向性切換信号を前記切換信号出力部から出力させる指向性切換手段（Ｓ６）とを備え、
前記指向性決定手段は、
前記指向性特定手段が特定した前記最適な指向性によって前記予約チャンネルの放送を受信することにユーザが承諾したことを示す承諾信号が入力されたとき（Ｓ４０１で特定された指向性に対してＳ４０３でＹＥＳ）に、前記予約チャンネルに対応する前記可変指向性アンテナの指向性を前記指向性特定手段が特定した指向性にすることを決定（Ｓ４０４）し、
前記予約チャンネルの放送の受信に最適な指向性とは別に前記指向性特定手段が選別した指向性によって前記予約チャンネルの放送を受信することにユーザが承諾したことを示す承諾信号が入力されたとき（Ｓ４０９で特定された指向性に対してＳ４０３でＹＥＳ）に、前記予約チャンネルに対応する前記可変指向性アンテナの指向性を前記指向性特定手段が選別した指向性にすることを決定（Ｓ４０４）し、
前記予約チャンネルの放送の受信に最適な指向性とは別に前記指向性特定手段が選別した指向性によって前記予約チャンネルの放送を受信することをユーザが拒否したことを示す拒否信号が入力されたとき（Ｓ４０６ででＹＥＳ）に、前記予約チャンネルに対応する前記可変指向性アンテナの指向性を、前記対応関係記憶手段が記憶している前記予約チャンネルに対応する指向性にすることを決定する（Ｓ４０７）第１指向性決定手段（第１モード処理のＳ４０４とＳ４０７）と、
前記指向性特定手段が特定した前記最適な指向性と、前記対応関係記憶手段に記憶されている前記予約チャンネルに対応する指向性とのうち、後者の方が前記予約チャンネルによる放送をより良好に受信できるとき（Ｓ５０６でＮＯ）に前記予約チャンネルに対応する前記可変指向性アンテナの指向性を、前記対応関係記憶手段が記憶している前記予約チャンネルに対応する指向性にすることを決定（Ｓ５１２）し、
前記指向性特定手段が特定した前記最適な指向性と、前記対応関係記憶手段に記憶されている前記予約チャンネルに対応する指向性とのうち、前者の方が前記予約チャンネルによる放送をより良好に受信でき（Ｓ５０６でＹＥＳ）かつ前者によって前記予約チャンネルの放送を受信することにユーザが承諾したことを示す承諾信号が入力されたとき（Ｓ５０８でＹＥＳ）に前記予約チャンネルに対応する前記可変指向性アンテナの指向性を、前記指向性特定手段が特定した前記最適な指向性にすることを決定し、
前記指向性特定手段が特定した前記最適な指向性と、前記対応関係記憶手段に記憶されている前記予約チャンネルに対応する指向性とのうち、前者の方が前記予約チャンネルによる放送をより良好に受信でき（Ｓ５０６でＹＥＳ）かつ前者によって前記予約チャンネルの放送を受信することをユーザが拒否したことを示す拒否信号が入力されたとき（Ｓ５１１でＹＥＳ）に前記予約チャンネルに対応する前記可変指向性アンテナの指向性を、前記対応関係記憶手段が記憶している前記予約チャンネルに対応する指向性にすることを決定する（Ｓ５１２）第２指向性決定手段（第２モード処理のＳ５０９とＳ５１２）とを含み、
さらに、前記放送受信装置は、
前記第１指向性決定手段により前記予約チャンネルに対応する前記可変指向性アンテナの指向性を決定する第１モード（Ｓ２１０）と、前記第２指向性決定手段により前記予約チャンネルに対応する前記可変指向性アンテナの指向性を決定する第２モード（Ｓ２１１）とに前記放送受信装置の動作モードを切換える動作モード切換手段（Ｓ４０８、Ｓ５１０）を備え、
該動作モード切換手段は、
前記第１モードにおいて、前記第１指向性決定手段が前記拒否信号の入力を受けて前記可変指向性アンテナの指向性を前記対応関係記憶手段が記憶している前記予約チャンネルに対応する指向性にすることを決定したときに、前記第１モードから前記第２モードに切換え（Ｓ４０８）、
前記第２モードにおいて、前記第２指向性決定手段が前記予約チャンネルに対応する前記可変指向性アンテナの指向性を前記指向性特定手段が特定した前記最適な指向性にすることを決定したときに前記第２モードから前記第１モードに切換え（Ｓ５１０）、
前記指向性切換手段は、前記第１モードにおいては前記第１指向性決定手段の決定に従う指向性に切換えるための指向性切換信号を前記切換信号出力部から出力させ、前記第２モードにおいては前記第２指向性決定手段の決定に従う指向性に切換えるための指向性切換信号を前記切換信号出力部から出力させることを特徴とする。
【０００９】
また、本発明は、指向性を可変可能な可変指向性アンテナ（３０）と接続される放送受信装置（１）であって、
前記可変指向性アンテナに対して、指向性の切換えを指令する指向性切換信号を出力する切換信号出力部（受信方向切換部２４）と、
該切換信号出力部から前記指向性切換信号を出力することによって前記可変指向性アンテナの指向性を順次変化させて、放送チャンネルのうちの録画が予約されている予約チャンネルによる放送の受信に最適な指向性を特定する指向性特定手段（Ｓ８）と、
該指向性特定手段の特定結果を画面に表示するための特定結果表示信号を出力する特定結果表示信号出力手段（Ｓ４０２、Ｓ５０７）と、
前記指向性特定手段が特定した前記最適な指向性によって前記予約チャンネルの放送を受信することにユーザが承諾したことを示す承諾信号が入力されたとき（Ｓ４０１で特定された指向性に対してＳ４０３でＹＥＳ）に、前記予約チャンネルに対応する前記可変指向性アンテナの指向性を前記指向性特定手段が特定した前記最適な指向性にすることを決定する第１指向性決定手段（Ｓ４０４）と、
前記予約チャネルによる録画開始時刻前に、前記可変指向性アンテナの指向性を前記第１指向性決定手段の決定に従う指向性に切換えるための指向性切換信号を前記切換信号出力部から出力させる指向性切換手段（Ｓ６）とを備えることを特徴とする。
【００１０】
さらに、本発明は、前記予約チャンネルの放送を録画する録画装置（録画・再生装置７００）を接続する録画装置接続部（図示を省略した録画・再生装置接続用端子）をさらに備え、
前記予約チャンネルおよび録画開始時刻の情報を前記録画装置接続部を介して前記録画装置から入力することを特徴とする。
【００１１】
あるいは、本発明は、前記画面を備える表示装置（モニタ４０）を接続する表示装置接続部（図示を省略した再生信号出力端子）をさらに備え、
前記メッセージ表示信号出力手段は、前記表示装置接続部を介して前記メッセージ表示信号を前記表示装置へ出力することを特徴とする。
【００１２】
さらに、本発明は、前記予約チャンネルに対応する録画開始時刻の所定時間前であるか否かを判別する所定時間判別手段（Ｓ１）をさらに備え、
前記指向性特定手段は、前記所定時間判別手段が前記所定時間前であると判別したときに、前記予約チャンネルに対応する放送の受信に最適な指向性を特定する特定動作を開始し（Ｓ１でＹＥＳのときにＳ５が実行される）、
前記指向性特定手段が前記特定動作を開始するときに所定のメッセージを前記画面に表示するためのメッセージ表示信号を出力するメッセージ表示信号出力手段（Ｓ４）をさらに備えることを特徴とする。
【００１３】
また、本発明は、放送チャンネルと当該放送チャンネルの放送を受信するときの前記可変指向性アンテナの指向性との対応関係を記憶する対応関係記憶手段（メモリ１０ｂに構成されるオートスキャン記憶領域）をさらに備え、
前記第１指向性決定手段は、前記指向性特定手段が特定した前記最適な指向性によって前記予約チャンネルの放送を受信することをユーザが拒否したことを示す拒否信号が入力されたときに、前記対応関係記憶手段の記憶に従い、前記予約チャンネルに対応する前記可変指向性アンテナの指向性を決定すること（Ｓ４０７）を特徴とする。
【００１４】
また、本発明は、放送チャンネルと前記可変指向性アンテナの指向性との対応関係を記憶する対応関係記憶手段（メモリ１０ｂに構成されるオートスキャン記憶領域）をさらに備え、
前記指向性特定手段は、前記予約チャンネルの放送の受信に最適な指向性とは別に、前記予約チャンネルの放送の受信に適する指向性をさらに選別し（Ｓ２０６）、
前記特定結果表示信号出力手段は、前記指向性特定手段により特定された前記最適な指向性によって前記予約チャンネルの放送を受信することをユーザが拒否したことを示す拒否信号が入力されたとき（Ｓ４０５でＹＥＳ）に、前記指向性特定手段が前記予約チャンネルの放送の受信に最適な指向性とは別に選別した指向性を示す選別結果を前記画面に表示するための選別結果表示信号を出力し（Ｓ４０９）、
前記第１指向性決定手段は、前記最適な指向性とは別に前記指向性特定手段が選別した指向性によって前記予約チャンネルの放送を受信することにユーザが承諾したことを示す承諾信号が入力されたとき（Ｓ４０９の後にＳ４０３でＹＥＳ）に、前記予約チャンネルに対応する前記可変指向性アンテナの指向性を前記指向性特定手段が選別した指向性にすることを決定する（Ｓ４０４）一方、
前記最適な指向性とは別に前記指向性特定手段が選別した指向性によって前記予約チャンネルの放送を受信することをユーザが拒否したことを示す拒否信号が入力されたとき（Ｓ４０９の後にＳ４０５でＹＥＳ）に、前記予約チャンネルに対応する前記可変指向性アンテナの指向性を、前記対応関係記憶手段が記憶している前記予約チャンネルに対応する指向性にすることを決定する（Ｓ４０７）ことを特徴とする。
【００１５】
また、本発明は、前記指向性特定手段が特定した前記最適な指向性と、前記対応関係記憶手段に記憶されている前記予約チャンネルに対応する指向性とのうち、いずれが前記予約チャンネルによる放送をより良好に受信できるかを判別する受信状態判別手段（Ｓ５０６）と、
該受信状態判別手段により前記対応関係記憶手段に記憶されている前記予約チャネルに対応する指向性の方が前記予約チャンネルによる放送をより良好に受信できると判別されたとき（Ｓ５０６でＮＯ）に前記予約チャンネルに対応する前記可変指向性アンテナの指向性を、前記対応関係記憶手段が記憶している前記予約チャンネルに対応する指向性にすることを決定（Ｓ５１２）し、
前記受信状態判別手段により前記指向性特定手段が特定した前記最適な指向性の方が前記予約チャンネルによる放送をより良好に受信できると判別され（Ｓ５０６でＹＥＳ）かつ当該指向性によって前記予約チャンネルの放送を受信することにユーザが承諾したことを示す承諾信号が入力されたとき（Ｓ５０８でＹＥＳ）に前記予約チャンネルに対応する前記可変指向性アンテナの指向性を、前記指向性特定手段が特定した前記最適な指向性にすることを決定（Ｓ５０９）し、
前記受信状態判別手段により前記指向性特定手段が特定した前記最適な指向性の方が前記予約チャンネルによる放送をより良好に受信できると判別され（Ｓ５０６でＹＥＳ）かつ当該指向性によって前記予約チャンネルの放送を受信することをユーザが拒否したことを示す拒否信号が入力されたとき（Ｓ５１１でＹＥＳ）に前記予約チャンネルに対応する前記可変指向性アンテナの指向性を、前記対応関係記憶手段が記憶している前記予約チャンネルに対応する指向性にすることを決定する（Ｓ５１２）第２指向性決定手段（Ｓ５０９およびＳ５１２）と、
前記第１指向性決定手段により前記予約チャンネルに対応する前記可変指向性アンテナの指向性を決定する第１モード（Ｓ２１０）と、前記第２指向性決定手段により前記予約チャンネルに対応する前記可変指向性アンテナの指向性を決定する第２モード（Ｓ２１１）とに前記放送受信装置の動作モードを切換える動作モード切換手段（Ｓ４０８、Ｓ５１０）とを備え、
該動作モード切換手段は、
前記第１モードにおいて、前記第１指向性決定手段が前記拒否信号の入力を受けて前記可変指向性アンテナの指向性を前記対応関係記憶手段が記憶している前記予約チャンネルに対応する指向性にすることを決定したときに、前記第１モードから前記第２モードに切換え（Ｓ４０８）、
前記第２モードにおいて、前記第２指向性決定手段が前記予約チャンネルに対応する前記可変指向性アンテナの指向性を前記指向性特定手段が特定した前記最適な指向性にすることを決定したときに前記第２モードから前記第１モードに切換え（Ｓ５１０）、
前記指向性切換手段は、前記第１モードにおいては前記第１指向性決定手段の決定に従う指向性に切換えるための指向性切換信号を前記切換信号出力部から出力させ、前記第２モードにおいては前記第２指向性決定手段の決定に従う指向性に切換えるための指向性切換信号を前記切換信号出力部から出力させることを特徴とする。
【発明の効果】
【００１６】
本発明によれば、録画予約時刻前に自動的に予約チャンネルに最適な指向性が特定され、しかもその特定された指向性を採用することに対するユーザの承諾を得て予約チャンネルに対応する指向性が決定されるために、録画予約時刻になる前に、ユーザの意向を考慮しつつも、自動的に可変指向性アンテナの指向性を適正化できる。
【発明を実施するための最良の形態】
【００１７】
この発明の実施の形態について、図面を参照しながら詳細に説明する。なお、図中の同一または相当部分については、同一符号を付してその説明は繰り返さない。
【００１８】
［第１実施形態］
図１は、この発明の第１実施形態に従う放送受信装置１の概略構成図である。
【００１９】
図１を参照して、この発明の第１実施形態に従う放送受信装置１は、チューナ１６および録画部７０を備えるチューナ内蔵型のレコーダである。放送受信装置１は、可変指向性アンテナ３０を接続するアンテナ接続端子と、受信放送の映像信号および音声信号をモニタ４０へ出力するための放送出力端子と、録画再生したときの映像信号および音声信号をモニタ４０へ出力するための再生信号出力端子とを備えている（各端子の図示を省略）。
【００２０】
放送受信装置１は、可変指向性アンテナ３０から放送信号を受信し、モニタ４０に対して映像信号および音声信号を出力し、また、記録媒体７１に受信放送を録画する。さらに、放送受信装置１は、リモコン４２から送信される無線信号を受信するためのリモコン受信部２６を備える。
【００２１】
可変指向性アンテナ３０は、図１に示すように、複数、たとえば４本のアンテナ素子３０ａ〜３０ｄを水平面内に、所定の角度（たとえば９０度）間隔に有している。可変指向性アンテナ３０は、放送受信装置１から受信方向切換信号を受けて、各アンテナ素子に対する励振を変化させて指向性を切換える。可変指向性アンテナ３０は、受信方向切換信号を受けることにより、たとえば、８方向に指向性を可変可能である。以下では、８方向に可変可能な可変指向性アンテナ３０の各指向性を「受信方向１」〜「受信方向８」と称して説明する。
【００２２】
放送受信装置１は、制御部１０と、チューナ１６と、デジタル復調器１８と、アナログ復調器２０と、ＯＳＤ（On Screen Display）回路２１と、ＭＰＥＧデコーダ２２と、映像合成部２３と、受信方向切換部２４と、リモコン受信部２６と、録画部７０とを備える。
【００２３】
制御部１０は、プログラムを実行するＣＰＵ（Central Processing Unit）１０ａと、
実行されるプログラム、プログラム実行中のデータ、およびプログラム実行結果のデータを記憶するメモリ（ＲＡＭおよびＲＯＭ）１０ｂとからなる。
【００２４】
チューナ１６は、受信した放送信号の中から、制御部１０からの指令に応じて選択されたチャンネルに対応する放送信号を抽出する。そして、抽出された放送信号がデジタルテレビ放送信号である場合は、チューナ１６は、デジタル復調器１８に放送信号を出力する。一方、抽出された放送信号がアナログテレビ放送信号である場合は、チューナ１６は、アナログ復調器２０へ放送信号を出力する。
【００２５】
デジタル復調器１８は、チューナ１６から放送信号を受けて、映像および音声の信号であるＭＰＥＧ（Moving Picture Experts Group）信号に復調し、そのＭＰＥＧ信号をＭＰＥＧデコーダ２２へ出力する。
【００２６】
ここで、デジタルテレビ放送信号は、リード・ソロモン符号および畳み込み符号で符号化されて送信される。そのため、デジタル復調器１８は、上述の復号処理において誤り訂正ができる。この誤り訂正の処理過程において、デジタル復調器１８は、受信した放送信号の受信データ誤り率を演算し、その受信データ誤り率を制御部１０へ出力する。このとき、デジタル復調器１８は、受信した放送信号に含まれる所定のデータ数毎に誤り訂正を行なうので、受信開始から１フレーム（１／３０秒）以内で受信データ誤り率の演算ができる。
【００２７】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信される
ため、誤り訂正が可能であり、その処理過程において受信データ誤り率が演算できる。したがって、この発明の第１実施形態におけるデジタル復調器１８は、上述のいずれの方式を用いてもよい。
【００２８】
アナログ復調器２０は、チューナ１６から放送信号を受けて、映像信号および音声信号へ復調する。そして、アナログ復調器２０は、復調された音声信号を外部へ出力する。また、アナログ復調器２０は、復調された映像信号を映像合成部２３へ出力する。さらに、アナログ復調器２０は、水平同期信号の捕捉の可否を制御部１０へ出力する。
【００２９】
ここで、アナログテレビ放送信号には、走査線の水平走査および垂直走査を制御するために、水平同期信号および垂直同期信号が含まれている。アナログ復調器２０は、映像信号の復調を行なうために、上述の水平同期信号および垂直同期信号を捕捉する必要がある。
【００３０】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００３１】
水平同期信号を捕捉するにあたり、アナログ復調器２０は、受信した放送信号に対して、雑音除去処理、周波数分離処理、同期信号分離処理および整形増幅処理等を行なう。それゆえ、受信開始から水平同期信号の捕捉までには、上述のデジタル復調器１８における受信データ誤り率の演算に比較して、多くの時間を要する。
【００３２】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００３３】
したがって、この発明の第１実施形態におけるアナログ復調器２０は、上述のいずれの方式を用いてもよい。
【００３４】
ＯＳＤ回路２１は、制御部１０からの指令に応じて、モニタ４０の画面上に情報を表示するためのＯＳＤ信号を生成して、映像合成部２３へ出力する。この実施の形態においては、ＯＳＤ回路２１は、ハードウェア回路で実現されることとする。しかし、これに限定されず、制御部１０によりソフトウェアが実行されることによって、ＯＳＤ回路２１の機能が実現されるようにしてもよい。
【００３５】
ＭＰＥＧデコーダ２２は、デジタル復調器１８から受けた信号を映像信号および音声信号に復号する。そして、ＭＰＥＧデコーダ２２は、復号された音声信号を外部へ出力する。また、ＭＰＥＧデコーダ２２は、復号された映像信号を映像合成部２３へ出力する。
【００３６】
映像合成部２３は、アナログ復調器またはＭＰＥＧデコーダから受けた映像信号で示される映像に、ＯＳＤ回路２１から受けたＯＳＤ信号で示される映像を重畳させる。そして、映像合成部２３は、重畳された映像を示す映像信号を外部へ出力する。
【００３７】
受信方向切換部２４は、制御部１０からの指令に応じて、受信方向切換信号を可変指向性アンテナ３０へ出力する。
【００３８】
リモコン受信部２６は、リモコン４２からの指令を受信して制御部１０へ出力する。ユーザは、所望の動作を行なわせるためリモコン４２を用いて指令を送信する。
【００３９】
次に、本実施の形態に係る発明の特徴である予約録画処理を説明する。図２は、予約録画処理を説明するためのフローチャートである。また、図３〜図７は、予約録画処理の中で実行されるサブルーチンである。
【００４０】
録画予約処理の概要は次のとおりである。すなわち、録画予約時刻になる前に、「自動設定」が予めユーザの選択操作によって「ＯＮ」に設定されているか否かが判別されて、「ＯＮ」に設定されているときには、予約チャンネルの受信に最適なアンテナの受信方向が装置側で自動的に特定される。ユーザがその特定結果に満足してリモコン４２などから承諾信号を出力すれば、装置側で特定した受信方向に可変指向性アンテナ３０の指向性が切換えられる。
【００４１】
これにより、録画予約時刻になる前に、ユーザの意向を考慮しつつも、自動的に可変指向性アンテナの指向性を適正化することができる。この自動設定機能は、録画時間が目前に迫っている状況においてアンテナの受信方向を適正化する際に便利な機能である。
【００４２】
なお、以下では、デジタル放送を対象とした予約録画処理を説明するが、アナログ放送を対象とした場合にも同様に録画予約処理を適用可能である。この場合には水平同期信号の捕捉の可否により各受信方向に対応するアナログ放送の受信状態を判断できる。
【００４３】
図２を参照して、最初に、録画予約時刻の所定時間（たとえば５分）前であるか否かが判断される（Ｓ１）。録画予約時刻の所定時間前でないときには処理が終了する。録画予約時刻の所定時間前であると判断されたときには、自動設定データが参照され（Ｓ２）、手動設定がＯＮであるか否かが判断される（Ｓ３）。自動設定データは、メニュー画面から設定するユーザの操作に応じてＯＮまたはＯＦＦに設定されるデータである。自動設定データは、放送受信装置１のメモリ１０ｂに記憶されている。
【００４４】
自動設定データがＯＦＦに設定されているときには、Ｓ７に移行する。一方、自動設定データがＯＮに設定されていると判断されたときには、自動設定用のメッセージをモニタ４０に表示するための表示信号が出力される（Ｓ４）。
【００４５】
次に、自動設定処理が実行されて（Ｓ５）、装置が特定した受信方向で予約チャンネルの放送を受信するか否かのユーザによる選択が可能となる。手動設定処理の詳細については、図３を用いて後述する。
【００４６】
次に、自動設定処理によって決定された受信方向に対応する受信方向切換信号が可変指向性アンテナ３０へ出力される（Ｓ６）。その後、録画予約時刻になったと判断されたことを条件として（Ｓ７）、予約チャンネルの放送を録画する処理が開始される（Ｓ８）。
【００４７】
図３は、自動設定処理を説明するためのフローチャートである。この自動設定処理は、図２の予約録画処理中、Ｓ５において実行されるサブルーチンである。
【００４８】
最初に、放送チャンネルが予約チャンネルへ切換えられる（Ｓ２０１）。次に、自動検索モードである旨をモニタ４０に表示するための表示信号が出力される（Ｓ２０２）。なお、この表示は、自動設定処理がすべて終了するまでの間、継続してモニタ４０のＯＳＤ表示エリアに表示されるものである。
【００４９】
次に、受信方向を定めるためのカウンタｎに１が代入される（Ｓ２０３）。次に、可変指向性アンテナ３０の受信方向を受信方向ｎに切換えるための受信方向切換信号が出力される（Ｓ２０４）。
【００５０】
次に、受信方向切換後の可変指向性アンテナ３０からデータを受信し、予約チャンネルに関する受信方向ｎのデータ誤り率が規定値以下であるか否かが判断される（Ｓ２０５）。受信方向ｎのデータ誤り率が規定値以下でないときには、Ｓ２０７に進む。一方、受信方向ｎのデータ誤り率が規定値以下であると判断されたときには、その受信方向ｎ、データ誤り率、およびその時に受信された映像の一部が自動検索用候補記憶領域に記憶される（Ｓ２０６）。自動検索用候補記憶領域は、メモリ１０ｂの一部に割当てられている。
【００５１】
次に、カウンタｎが更新（＋１）される（Ｓ２０７）。次に、更新後のカウンタｎの値が最大値ｍａｘを超過しているか否かが判断される（Ｓ２０８）。本実施の形態では、可変可能な受信方向がたとえば１〜８であるために、最大値ｍａｘは「８」である。
【００５２】
Ｓ２０８において、カウンタｎの値がｍａｘを超過していないと判断されたときには、可変指向性アンテナ３０の受信方向を更新後の受信方向ｎに切換えるための受信方向切換信号が出力され（Ｓ２０４）、以下、Ｓ２０５〜Ｓ２０８の処理が繰り返される。これにより、データ誤り率が規定値以下と判断された受信方向別に、予約チャンネルで放送を受信したときのデータ誤り率および受信映像の一部が自動検索用記憶領域に記憶される。
【００５３】
やがて、Ｓ２０８においてカウンタｎの値がｍａｘを超過すると判断されたときには、現在の自動検索モードが第１モードであるか第２モードであるかが判断される（Ｓ２０９）。そして、その結果に応じて、第１モード処理（Ｓ２１０）、または第２モード処理（Ｓ２１１）が実行される。その後に処理が終了する。
【００５４】
ここで、自動検索モードのデータは、メニュー画面から設定するユーザの操作に応じて第１モードまたは第２モードに設定されるデータである。この自動検索モードのデータは、放送受信装置１のメモリ１０ｂに記憶されている。
【００５５】
「自動検索モード」を「第１モード」に設定することにより予約チャンネルに対応する最適な受信方向が自動的に検索され、ユーザの操作によって放送受信装置１に入力される承諾信号を受けたことを条件として、その受信方向が選択される。一方、「第２モード」に設定することにより、最適な受信方向が自動検索され、後述するオートスキャン記憶領域中の受信方向との間で品質（エラー誤り率）が自動的に判定される。そして、自動検索した受信方向の方が受信状況が良好であるときには承諾信号を受けたことを条件としてその受信方向が選択される。一方、オートスキャン記憶領域中の受信方向の受信状況の方が良好であるときには、自動的にオートスキャン記憶領域から受信方向が選択される。
【００５６】
なお、第１モード処理については図４を用いて、第２モード処理については、図５を用いて、各々、詳細に説明する。
【００５７】
図４は、第１モード処理を説明するためのフローチャートである。この第１モード処理は、図３のＳ２１０において実行されるサブルーチンである。最初に、自動検索用候補記憶領域が参照され、記憶されている受信方向のうち、最もデータ誤り率が低い受信方向が特定される（Ｓ４０１）。次に、Ｓ４０１において特定された受信方向をモニタ４０に表示するための表示信号が出力される（Ｓ４０２）。
【００５８】
これにより、モニタ４０には、特定された受信方向に対応して自動検索用候補記憶領域に記載された一部の映像が表示されるとともに、その受信方向番号が表示される。ユーザは、その映像を見ることによって、その受信方向で予約チャンネルによる放送を録画することに承諾するか否かを判断する。
【００５９】
次に承諾信号が入力されたか否かが判断される（Ｓ４０３）。承諾信号は、モニタ４０に表示された受信方向に対するユーザの承諾を示す信号であり、たとえば、リモコン４２の操作に応じて本機に入力される。
【００６０】
Ｓ４０３において承諾信号が入力されていないと判断された場合には、拒否信号が入力されたか否かが判断される（Ｓ４０５）。拒否信号は、モニタ４０に表示された受信方向に対するユーザの拒否を示す信号であり、たとえば、リモコン４２の操作に応じて本機に入力される。
【００６１】
承諾信号および拒否信号のいずれも入力されていないと判断されたときには、再びＳ４０３に戻る。そして、承諾信号かまたは拒否信号が入力されるまでＳ４０３およびＳ４０５の処理が繰り返される。
【００６２】
Ｓ４０５において拒否信号が入力されたと判断された場合には、自動検索用候補記憶領域中のすべての受信方向の候補に対して拒否信号が入力されたか否かが判断される（Ｓ４０６）。自動検索用候補記憶領域中に、ユーザが確認していない受信方向が存在する場合には、Ｓ４０６でＮＯと判断され、自動検索用候補記憶領域中の次の受信方向を記憶している映像ととともにモニタ４０に表示するための表示信号が出力される（Ｓ４０９）。
【００６３】
そして、再び、承諾信号が入力されたか否かが判断される（Ｓ４０３）。自動検索用候補記憶領域中のいずれかの受信方向に対応して承諾信号が入力されたと判断された場合（Ｓ４０３でＹＥＳ）には、承諾信号が入力されたときの受信方向で予約チャンネルの放送を録画することが決定される（Ｓ４０４）。
【００６４】
この場合には、受信方向を決定した旨をモニタ４０に表示するための表示信号が出力され（Ｓ４１０）、処理が終了する。
【００６５】
一方、自動検索用候補記憶領域中のすべての受信方向候補に対して拒否信号が入力されたとき（Ｓ４０６でＹＥＳ）には、オートスキャン記憶領域が参照されて、予約チャンネルに対応してオートスキャン記憶領域中に記憶されている受信方向で予約チャンネルの放送を録画することが決定される（Ｓ４０７）。
【００６６】
ここで、オートスキャン記憶領域とは、「オートスキャン機能（チャンネル自動検出機能）」によって、受信可能と判断された放送チャンネルおよび当該放送チャンネルの受信に適正とされるアンテナの受信方向を記憶する領域である。なお、「オートスキャン機能」とは、自動的に受信可能な各放送チャンネルを検出するとともに各放送チャンネルに適する可変指向性アンテナ３０の受信方向を設定する機能である。このＳ４０７においては、本装置で以前に「オートスキャン機能」を起動したときに予約チャンネルに対応する放送チャンネルに割り当てられた受信方向が、今回の録画の際の受信方向として決定される。オートスキャン記憶領域は、メモリ１０ｂに設けられている。
【００６７】
Ｓ４０７の後、第１モードから第２モードに切換えられる（Ｓ４０８）。したがって、次回、図３のＳ２０９に進んだときには、第２モード処理が実行されることになる。
【００６８】
その後、受信方向を決定した旨をモニタ４０に表示するための表示信号が出力され（Ｓ４１０）、処理が終了する。
【００６９】
図５は、第２モード処理を説明するためのフローチャートである。この第２モード処理は、図３のＳ２１１で実行されるサブルーチンである。第２モード処理においては、最初に、自動検索用候補記憶領域中の最もデータ誤り率が低い受信方向Ａが特定される（Ｓ５０１）。
【００７０】
次に、オートスキャン記憶領域が参照されて、予約チャンネルに対応して記憶されている受信方向Ｍが特定される（Ｓ５０２）。続いて、受信方向Ｍに対応する受信方向切換信号が可変指向性アンテナ３０に対して出力される（Ｓ５０３）。これにより、可変指向性アンテナ３０の受信方向がＭに変更される。
【００７１】
次に、受信方向Ｍによる予約チャンネルのデータ誤り率が算出される（Ｓ５０４）。その後、Ｓ５０１において特定された受信方向Ａのデータ誤り率と、Ｓ５０４において算出された受信方向Ｍのデータ誤り率とが比較される（Ｓ５０５）。なお、受信方向Ａのデータ誤り率は、図３のＳ２０６の処理によって、受信方向Ａに対応して自動検索用候補記憶領域に記憶されている。
【００７２】
次に、受信方向Ａのデータ誤り率の方が受信方向Ｍのデータ誤り率よりも低いか否かが判断される（Ｓ５０６）。Ｓ５０６でＮＯ、すなわち、受信方向Ａよりも受信方向Ｍの方がデータ誤り率が低いと判断されたときには、受信方向がＭに決定される（Ｓ５１２）。
【００７３】
一方、受信方向Ａの方がデータ誤り率が低いと判断されたとき（Ｓ５０６においてＹＥＳ）には、受信方向Ａをモニタ３０に表示するための表示信号が出力される（Ｓ５０７）。
【００７４】
これにより、モニタ４０には、受信方向Ａに対応して自動検索用候補記憶領域に記載された一部の映像が表示されるとともに、その受信方向Ａが表示される。ユーザは、その映像を見ることによって、受信方向Ａで予約チャンネルによる放送を録画することに承諾するか否かを判断する。
【００７５】
次に、承諾信号または拒否信号が入力されるまで、処理が待機状態とされる（Ｓ５０８、Ｓ５１１）。拒否信号が入力されたと判断された場合（Ｓ５１１でＹＥＳ）には、受信方向がＭ、すなわち、オートスキャン記憶領域中の予約チャンネルに対応する受信方向で予約チャンネルの放送を録画することが決定される（Ｓ５１２）。
【００７６】
一方、承諾信号が入力されたと判断されたときには（Ｓ５０８でＹＥＳ）、自動検索用候補記憶領域中の受信方向Ａで予約チャンネルの放送を録画することが決定される（Ｓ５０９）。その後に、第２モードから第１モードに切換えられる（Ｓ５１０）。したがって、次回、図３のＳ２０９に進んだときには、第１モード処理が実行されることになる。
【００７７】
最後に、受信方向を決定した旨をモニタ４０に表示するための表示信号が出力され（Ｓ５１３）、処理が終了する。
【００７８】
図８は、ユーザ設定処理および設定データを説明するための図である。本機では、モニタ画面上にメインメニューを呼出すことにより、「手動設定データ」、「設定補助モード」、「自動検索モード」、その他の設定事項についてユーザが設定可能とされている。図８（Ａ）には、ユーザ設定処理のフローチャートが示されている。一方、図８（Ｂ）には、ユーザ設定事項の代表例およびその設定データの内容について示されている。
【００７９】
図６（Ａ）は、図２のＳ４において表示される画面例である。録画予約時刻の所定時間前になったきたときには、モニタ４０の画面４００が図６（Ａ）に示すように切り替わり、画面右下のＯＳＤ領域４０１に「自動設定を実行します」というメッセージが表示される。これにより、手動設定の制御が開示されることがユーザに報知される。また、「録画ｔ分前」というメッセージ表示も行なわれることにより、録画開始までの時間がユーザに報知される。
【００８０】
図６（Ｂ）は、図４のＳ４０２、Ｓ４０９、およびＳ５０７において表示される画面例である。たとえば、図６（Ｂ）には、装置により自動的に特定された受信方向候補４０２が表示されている。受信方向候補４０２は、特定された受信方向で予約チャンネルの放送を受信したときの映像であり、その映像は、自動検索用候補記憶領域（Ｓ２０６参照）に記憶されているものである。受信方向候補４０２の映像エリア右下には、受信方向が示されている。したがって、受信方向候補４０２の受信方向は［１］である。
【００８１】
さらに、図６（Ｂ）に示されるように、ＯＳＤ領域４０１には、録画時間までの残り時間ｔに加えて、ユーザに、この受信方向を選択するか否かの決定を促すメッセージが表示される。ユーザが、たとえば、リモコン４２を操作して表示されている受信方向候補を選択すれば、それに応じて承諾信号が放送受信装置１に入力され、受信方向が決定されることになる。
【００８２】
[第２実施形態]
次に、図７を参照して、第２実施形態を説明する。第２実施形態に係る放送受信装置１００は、第１実施形態として説明した放送受信装置１から録画機能を省いたものである。
【００８３】
放送受信装置１００は、放送を録画および再生するための録画・再生装置７００を接続する録画・再生装置接続用端子が設けられており（図示省略）、その端子によって、録画・再生装置７００と接続される。放送受信装置１００から録画・再生装置７００へは映像信号および音声信号が出力される。
【００８４】
一方、録画・再生装置７００から放送受信装置１００には、録画予約時間、録画予約チャンネルなどの録画・再生装置７００のユーザ操作に関する信号等が入力される。放送受信装置１００は、録画・再生装置７００から録画予約時間および予約チャンネルの情報を受けて、第１実施形態として説明した図２に示される予約録画処理Ｓ１〜Ｓ７を実行し、モニタ４０に図６に示す画面を表示させる。したがって、録画・再生装置７００が予約チャンネルに対応する放送の録画を開始するときには、可変指向性アンテナ３０の受信方向が適正化されることになる。
【００８５】
[第３実施形態]
次に、第３実施形態を説明する。第３実施形態は、第１実施形態に係る第１モード処理（図４参照）を変形したものであり、その他の点においては、第１実施形態に係る放送受信装置１と変わりがない。
【００８６】
図８に、第３実施形態に係る第１モード処理２のフローチャートを示した。この第１モード処理２が、第１実施形態に係る第１モード処理と異なる点は、第１モード処理のＳ４０７とＳ４０８との間に、Ｓ４１１〜Ｓ４１３のステップが追加され、さらに、Ｓ４０４とＳ４１０との間に、Ｓ４１４のステップが追加されている点のみである。
【００８７】
第１実施形態では、装置側でユーザに提示したいずれの受信方向の候補もユーザによって採用されずにオートスキャン記憶領域から受信方向が決定されたときに、第１モードから第２モードへ切換わる。しかしながら、この第３実施形態では、そのような決定が３回連続して発生したときに、初めて、第１モードから第２モードへ切換わる。
【００８８】
具体的には、図８を参照して、Ｓ４０７でオートスキャン記憶領域が参照されて受信方向が決定された後に、モード切換カウンタが＋１され（Ｓ４１１）、続いて、モード切換カウンタの値が３であるか否かが判断される（Ｓ４１２）。モード切換カウンタの値が未だ３に達していないときには、モードが切換わることなく、処理が既に説明したＳ４１０に移行する。
【００８９】
また、一旦、モード切換カウンタの値が０から１または２に更新された場合であっても、Ｓ４０３で承諾信号が入力された結果、Ｓ４０４で受信方向が決定されたときには、そのモード切換カウンタの値が０にリセットされる（Ｓ４１４）。
【００９０】
一方、Ｓ４０７の決定が３回、連続して行なわれることによってモード切換カウンタの値が３に達したときに（Ｓ４１２でＹＥＳ）、モード切換カウンタの値が０にリセットされた上で（Ｓ４１３）、第１モードから第２モードに切換えられる（Ｓ４０８）。
【００９１】
このように、第３実施形態では、あまりに頻繁にユーザの承諾が得られないような受信方向が選択候補として装置側で選別されるようなケースが連続する場合には、第１モードから第２モードに切換えられる。なお、ここでは、Ｓ４０７の決定が３回、連続して行なわれることによって、第１モードから第２モードへの切換わるものとして説明したが、３回ではなく、２回、あるいは３回以上の複数回であってもよい。
【００９２】
次に、以上、説明した各実施形態のさらなる変形例に言及する。
【００９３】
（１）  第２実施形態に係る放送受信装置１００の処理として、第３実施形態を採用してもよい。
【００９４】
（２）  第１モード処理（図４参照）は、さらに、次のように変形することも可能である。すなわち、Ｓ４０６およびＳ４０９のステップを削除する。そして、Ｓ４０５で拒否信号が入力されたと判断された場合には、Ｓ４０７に進むように構成する。
【００９５】
これにより、Ｓ４０２において、装置側で特定した“お奨め”の受信方向がユーザによって拒否された場合には、即座にオートスキャン記憶領域が参照されて受信方向が決定されることになる。
【００９６】
このように変形したときには、さらに、第２モードへの切換えに関する条件についても次の２とおりのいずれかにすることが考えられる。１つは、図４と同様に、Ｓ４０７で受信方向が決定されれば、その段階で第２モードへ切換える手法である。もう１つは、第３実施形態と同様に、オートスキャン記憶領域が参照されて受信方向が決定されることが複数回、連続して発生したときに、第２モードへ切換える手法である。なお、後者の手法を採用するためには、第３実施形態と同様に、Ｓ４１１〜Ｓ４１４のステップを付け加えればよい。
【００９７】
（３）  上記各実施形態では、放送受信装置とモニタ４０とが分離した構成を説明した。しかしながら、これに換えて、放送受信装置１、１００に、モニタ４０を具備させてもよい。すなわち、放送受信装置をデジタルチューナー内蔵型のテレビで構成することも考えられる。この場合、放送受信装置１は、録画機能を備えたテレビに相当する。
【００９８】
（４）  上記の実施形態では、可変指向性アンテナとして、電気的に指向性を調整するものを示したが、例えばアンテナの方位角をモータによって変更するような機械的に指向性を調整することもできる構成も使用できる。また、アンテナとしては、可変指向性アンテナ３０限られるものではなく、指向性を可変できるものであれば、種々のものを使用することができる。
【００９９】
（５）  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１００】
【図１】放送受信装置の概略構成図である。
【図２】予約録画処理を説明するためのフローチャートである。
【図３】自動設定処理を説明するためのフローチャートである。
【図４】第１モード処理を説明するためのフローチャートである。
【図５】第２モード処理を説明するためのフローチャートである。
【図６】設定画面を示す図である。
【図７】放送受信装置の概略構成図である（第２実施形態）。
【図８】第１モード処理２を説明するためのフローチャートである（第３実施形態）。
【符号の説明】
【０１０１】
１および１００  放送受信装置、１０  制御部、１０ａ  ＣＰＵ、１０ｂ  メモリ、１６  チューナ、１８  デジタル復調器、２０  アナログ復調器、２１  ＯＳＤ回路、２２  ＭＰＥＧデコーダ、２３  映像合成部、２４  受信方向切換部、２６  リモコン受信部２６、３０  可変指向性アンテナ、４０  モニタ、４２  リモコン、７０  録画部。
【図１】
2006129027.tif 000003
【図２】
2006129027.tif 000004
【図３】
2006129027.tif 000005
【図４】
2006129027.tif 000006
【図５】
2006129027.tif 000007
【図６】
2006129027.tif 000008
【図７】
2006129027.tif 000009
【図８】
2006129027.tif 000010